(57)【特許請求の範囲】
【請求項１】
環状弁座を備えた弁孔を有する筒状のハウジングと、弁孔内に移動自在に収容されて環状弁座に離着座する弁体と、弁孔内に設けたばね座と、弁体とばね座との間に介装されて弁体を環状弁座に向けて附勢するばねとを備えて免制震ダンパに搭載される調圧リリーフ弁において、ハウジングの外周から弁孔内に突出して弁体の環状弁座からの後退量が所定量となると弁体に衝合して弁体の環状弁座からのそれ以上の後退を規制するストッパを設けたことを特徴する調圧リリーフ弁。
【請求項２】
ダンパの伸縮速度が所定速度に達すると上記ストッパで上記弁体の環状弁座からの後退を規制することを特徴とする請求項１に記載の調圧リリーフ弁。
【請求項３】
上記所定速度は、当該調圧リリーフ弁が設置される建築物が長周期地震動によって共振する際に達すると見込まれる、上記ダンパの伸縮速度に設定されることを特徴とする請求項２に記載の調圧リリーフ弁。
【請求項４】
上記ばねはコイルばねであり、上記ストッパはその外径が上記ばねの線材間隔より大径に設定されていることを特徴とする請求項１，２または３に記載の調圧リリーフ弁。

【請求項５】
上記弁体は、上記ストッパの先端に対向して当該ストッパの上記弁孔内への侵入を防止する座部を備えることを特徴とする請求項１，２または３に記載の調圧リリーフ弁。

【請求項６】
環状弁座を備えた弁孔を有する筒状のハウジングと、弁孔内に移動自在に収容されて環状弁座に離着座する弁体と、弁孔内に設けたばね座と、弁体とばね座との間に介装されて弁体を環状弁座に向けて附勢するばねとを備える調圧リリーフ弁と、
調圧リリーフ弁が開弁するまで支配的に減衰力を発揮するコンスタントオリフィスまたは比例弁と、を備える免制震ダンパにおいて、
調圧リリーフ弁は、ハウジングの外周から弁孔内に突出して弁体の環状弁座からの後退量が所定量となると弁体に衝合して弁体の環状弁座からのそれ以上の後退を規制するストッパを備えることを特徴とする免制震ダンパ。
【発明の詳細な説明】
【技術分野】
【０００１】
本発明は、調圧リリーフ弁および免制震ダンパの改良に関する。
【背景技術】
【０００２】
従来、この種の調圧リリーフ弁にあっては、たとえば、特に高減衰力を発生する免震用途などで使用されるダンパの内部に設けた二つの圧力室を連通する通路の途中に設けられ、環状弁座を備えた弁孔を有する筒状のハウジングと、環状弁座に離着座自在とされて弁孔内に収容される弁体と、弁孔の内周に螺着されるばね座と、弁体とばね座との間に介装されて弁体を環状弁座へ向けて附勢するコイルばねとを備えて構成されるものが知られている（たとえば、特許文献１参照）。
【０００３】
この調圧リリーフ弁は、弁孔に対してばね座側から圧力を受ける場合には弁体が環状弁座に着座して弁孔を閉じ、反対に、環状弁座側から圧力を受けると弁体が環状弁座から後退して弁孔を開放して流体の流れを許容するようになっている。より具体的には、ダンパが作動した際に、弁孔の環状弁座側が圧縮側の圧力室に対向する場合、上昇する圧力室内の圧力によって弁体を弁孔内へ押し込む力が弁体を附勢するコイルばねの附勢力に打ち勝つと、弁体が環状弁座から離座して開弁し、圧縮側の圧力室と拡大側の圧力室とを弁孔内を介して連通せしめる。
【０００４】
その際、弁体が環状弁座から離れる方向へ後退し、その後退量が大きくなるほど弁開口面積も大きくなるようになっており、開弁後（リリーフ後）は、当該弁開口面積で調圧リリーフ弁を通過する液体の流量を制御するようになっている。
【０００５】
また、この調圧リリーフ弁が適用されるダンパは、調圧リリーフ弁に並列されるコンスタントオリフィスまたは比例弁を備えている。したがって、このダンパは、調圧リリーフ弁が開弁するまではコンスタントオリフィスまたは比例弁によって減衰力を発揮するので、伸縮速度に対して比較的大きなゲインの減衰力が発揮され、調圧リリーフ弁が開弁（リリーフ）すると伸縮速度の上昇に対してゲインが比較的小さい減衰力を出力することになり、このダンパにおける伸縮速度に対する減衰力の特性（減衰力特性）は、図５に示すが如くとなる。
【先行技術文献】
【特許文献】
【０００６】
【特許文献１】特開２００７−７１２３２号公報
【発明の概要】
【発明が解決しようとする課題】
【０００７】
しかしながら、上述のような調圧リリーフ弁を、特に、建築物の免制震用途に供されるダンパに適用する場合には、以下の不具合があると指摘される可能性がある。
【０００８】
ここで、免震装置について説明すると、一般的に、免震装置では、建築物と地盤との間にゴム等の弾性体を介装し、建築物の振動を吸収するために当該弾性体に並列してダンパを介装するようにしている。
【０００９】
このように免震装置を適用した建築物は、弾性体によって弾性支持されるが、建築物の質量は非常に大きいため、固有周期（固有振動数の逆数）は、建築物の質量にもよるが、一般的に３秒程度と長い。
【００１０】
この免震装置を適用した建築物に地震動が作用しても、地震動の固有周期はこれよりも短く、建築物を共振させることはないとされてきた。ところが、近年、地震波の周波数成分には、長周期地震動と称される極低い周波数成分も含まれることがわかってきた。すると、このような長周期地震動が免震装置を適用した建築物に作用する場合、従来の調圧リリーフ弁がリリーフした後は、ダンパが発生する減衰力が頭打ちとなるため、建築物が共振して、建築物の振動を充分に抑制することができなくなる虞がある。
【００１１】
そこで、本発明は、上記不具合を改善するために創案されたものであって、その目的とするところは、建築物の免制震用途の緩衝器に適し、緩衝器に建築物の振動を抑制するのに最適な減衰力を発揮させることが可能な調圧リリーフ弁およびこれを搭載した免制震ダンパを提供することである。
【課題を解決するための手段】
【００１２】
上記した目的を解決するために、本発明における一つの課題解決手段は、環状弁座を備えた弁孔を有する筒状のハウジングと、弁孔内に移動自在に収容されて環状弁座に離着座する弁体と、弁孔内に設けたばね座と、弁体とばね座との間に介装されて弁体を環状弁座に向けて附勢するばねとを備えて免制震ダンパに搭載される調圧リリーフ弁において、ハウジングの外周から弁孔内に突出して弁体の環状弁座からの後退量が所定量となると弁体に衝合して弁体の環状弁座からのそれ以上の後退を規制するストッパを設けたことを特徴する。
同じく、他の課題解決手段は、環状弁座を備えた弁孔を有する筒状のハウジングと、弁孔内に移動自在に収容されて環状弁座に離着座する弁体と、弁孔内に設けたばね座と、弁体とばね座との間に介装されて弁体を環状弁座に向けて附勢するばねとを備える調圧リリーフ弁と、調圧リリーフ弁が開弁するまで支配的に減衰力を発揮するコンスタントオリフィスまたは比例弁と、を備える免制震ダンパにおいて、調圧リリーフ弁は、ハウジングの外周から弁孔内に突出して弁体の環状弁座からの後退量が所定量となると弁体に衝合して弁体の環状弁座からのそれ以上の後退を規制するストッパを備えることを特徴とする。
【発明の効果】
【００１３】
本発明の調圧リリーフ弁によれば、弁体は、先端側に作用する圧力が大きくなればなるほど、環状弁座から離れて弁孔内側への後退量が増加するが、環状弁座からの後退量が所定の後退量となると、弁本体の背面側に弁孔内に突出されるストッパに衝合して、弁体のそれ以上環状弁座から遠ざかる方向への移動が規制されるようになっている。すなわち、弁体は、ストッパによって、環状弁座からのそれ以上の後退が規制される。
また、本発明の調圧リリーフ弁を搭載したダンパは、ピストン速度が所定速度以上となると、減衰係数が大きくなって、より大きな減衰力を発揮して、振動を抑制するので、ダンパを免制震用途で使用する場合、弾性支持される建築物が長周期地震動によって振動励起されて大振幅で振動するような場合に、この振動に対して大きな減衰力を発揮して建築物の振動を効果的に減衰させることができる。
【００１４】
また、調圧リリーフ弁を搭載したダンパは、ピストン速度が所定速度以下では、従来の免制震用のダンパと同様に、ピストン速度に対して比較的小さい減衰係数で減衰力を発揮するので、長周期地震動による振動励起がない場合には、減衰力過多とならず、弾性体で地盤側からの地震による振動の建築物への伝達の絶縁を妨げることなく、効果的に振動を減衰することができる。
【００１５】
したがって、この調圧リリーフ弁は、ダンパに建築物の振動を抑制するのに最適な減衰力を発揮させることが可能であり、建築物の免制震用途のダンパに最適となる。
【図面の簡単な説明】
【００１６】
【図１】一実施の形態における調圧リリーフ弁の縦断面図である。
【図２】一実施の形態の調圧リリーフ弁を適用した免震用ダンパの概略図である。
【図３】一実施の形態の一変形例における調圧リリーフ弁の縦断面図である。
【図４】一実施の形態の調圧リリーフ弁を適用した免震用ダンパの減衰力特性を示した図である。
【図５】従来の調圧リリーフ弁を適用した免震用ダンパの減衰力特性を示した図である。
【発明を実施するための形態】
【００１７】
以下、本発明の調圧リリーフ弁１を図に基づいて説明する。一実施の形態における調圧リリーフ弁１は、図１に示すように、環状弁座４を備えた弁孔３を有する筒状のハウジング２と、弁孔３内に移動自在に収容されて環状弁座４に離着座する弁体５と、弁孔３内に設けたばね座１０と、弁体５とばね座１０との間に介装されて弁体５を環状弁座４に向けて附勢するばねとしてのコイルばね１４と、弁体の環状弁座４からの後退を規制するストッパ１６とを備えて構成されている。
【００１８】
そして、この調圧リリーフ弁１は、たとえば、図２示すような、ダンパＤの内部に設けられる圧力室Ｒ１，Ｒ２を連通する通路２０ａ，２０ｂの途中に設けられて使用される。このダンパＤは、地盤Ｇと建築物Ｗとの間に介装されており、また、地盤Ｇと建築物Ｗとの間に介装される弾性体Ｓと協働して免震装置を構成している。より詳しくは、ダンパＤは、シリンダ２１と、シリンダ２１内に摺動自在に挿入されてシリンダ２１内に作動油などの液体が充填される二つの圧力室Ｒ１，Ｒ２を画成するピストン２２と、シリンダ２１内に移動自在に挿入されてピストン２２に連結されるピストンロッド２３とを備えて構成されており、この場合、ダンパＤは、両ロッド型のダンパとされている。なお、片ロッド型のダンパとされてもよいことは勿論である。
【００１９】
また、ピストン２２には、通路２０ａ，２０ｂが設けられており、この通路２０ａ，２０ｂの途中に、それぞれ一つの調圧リリーフ弁１が向きを互い違いにして設置されている。そして、このダンパＤにあっては、ピストン２２が図２中左方へ移動しようとする場合、図中の左方の圧力室Ｒ１内の圧力が上昇し、当該圧力が調圧リリーフ弁１のリリーフ圧に達すると、通路２０ａの途中に設置した調圧リリーフ弁１が開弁して圧力室Ｒ１内の流体を図中右方の圧力室Ｒ２へ逃がしつつ液体の流れに抵抗を与えて減衰力を発揮する。なお、通路２０ｂの途中に設置した調圧リリーフ弁１は、圧力室Ｒ１の圧力を受けて閉じたままとなって、通路２０ｂを遮断する。反対に、ピストン２２が図２中右方へ移動しようとする場合、図中の右方の圧力室Ｒ２内の圧力が上昇し、当該圧力が調圧リリーフ弁１のリリーフ圧に達すると、通路２０ｂの途中に設置した調圧リリーフ弁１が開弁して圧力室Ｒ２内の流体を図中左方の圧力室Ｒ１へ逃がしつつ液体の流れに抵抗を与えて減衰力を発揮する。なお、通路２０ａの途中に設置した調圧リリーフ弁１は、圧力室Ｒ２の圧力を受けて閉じたままとなって、通路２０ａを遮断する。
【００２０】
なお、ダンパＤは、通路２０ａ，２０ｂに並列して圧力室Ｒ１と圧力室Ｒ２とを連通するコンスタントオリフィス２４を備えており、調圧リリーフ弁１が開弁するまでは、流体は、コンスタントオリフィス２４を介して圧力室Ｒ１、Ｒ２を行き来する。
【００２１】
このように、調圧リリーフ弁１は、ダンパＤに振動が入力された際に、ダンパＤに減衰力を発揮させる減衰弁として作用する。なお、ダンパＤの構成は、上記に限られるものではなく、たとえば、ダンパＤが片ロッド型で圧力室Ｒ１と圧力室Ｒ２の他にリザーバタンクを備えて、これらを数珠繋ぎに通路で連通し、ダンパＤが伸縮の際に流体をリザーバＲ、圧力室Ｒ２、圧力室Ｒ１およびリザーバタンクの順に循環させるユニフローダンパとされる場合には、調圧リリーフ弁１を圧力室Ｒ１とリザーバタンクとを連通する通路に圧力室Ｒ１からリザーバタンクに向けて流体が流れる際に抵抗を与えるように設置するようにしてもよい。また、ダンパＤが、やはり、圧力室Ｒ１と圧力室Ｒ２の他にリザーバタンクを備えている場合には、ピストンに設けた通路以外にもリザーバタンクと圧力室Ｒ１（Ｒ２）とを連通する通路の途中にも調圧リリーフ弁１を設けるようにしてもよい。いずれにせよ、調圧リリーフ弁１をダンパＤに減衰力を発揮させることが可能なように設置すればよい。
【００２２】
戻って、以下、調圧リリーフ弁１の各部について詳しく説明する。ハウジング２は、筒状であって、内部に弁体５が収容される弁孔３が設けられ、この弁孔３の図１中下端内周は縮径されて縮径部３ａが形成され、この縮径部３ａの形成によって設けられた段部で環状弁座４が形成されている。さらに、弁孔３の図１中上端内周には、螺子部３ｂが設けられており、この螺子部３ｂには、環状のナット１５が螺着されている。
【００２３】
また、ハウジング２には、その側方から開口して弁孔３に通じる複数の螺子孔９が放射状に同じ軸方向位置に穿ってあり、この螺子孔９には、ハウジング２の外方から捩じ込まれる螺子状のストッパ１６が螺着されていて、当該ストッパ１６の基端はハウジング２の外周から突出しないが、その先端は弁孔３内に突出している。なお、ハウジング２に螺子孔９の換わりに単なる孔を設けておき、ピン状のストッパを上記孔に圧入して固定するようにしてもよい。
【００２４】
弁体５は、上記弁孔３内に軸方向へ移動自在に収容され、環状弁座４に離着座する円盤状の弁本体６と、弁本体６の正面側となる図１中下端に形成の円柱状の弁頭７と、弁本体６の反弁頭側に突出されるばね嵌合部８とを備えている。また、弁頭７は、弁孔３における縮径部３ａ内に摺動自在に挿入され、弁頭７をガイドとして弁体５は、弁孔３における縮径部３ａに軸ぶれすることなく軸方向へ移動することができるようになっている。なお、弁本体６の外周を弁孔３の内周面に摺接させることで弁体５の移動をガイドさせるようにしてもよく、その場合、弁本体６を軸方向に貫く孔や外周に切欠などを設けて、流体の通過を許容するようにしておけばよい。
【００２５】
そして、弁本体６の図１中下端を環状弁座４の図１中上面に当接させて着座させると、調圧リリーフ弁１は閉弁し、弁孔３内への流体の流入を遮断することができるようになっている。また、弁頭７には、先端から基端にかけてＵ字状の溝７ａが形成されていて、弁本体６の図１中下端が環状弁座４の図１中上面から図１中上方となる弁孔３内側へ後退すると、その後退量に応じて溝７ａが縮径部３ａより弁孔３内に対面して開弁し、当該溝７ａを介して流体が弁孔３内へ流入することができるようになっている。そして、この弁体５における弁本体６の後退量に応じて溝７ａが弁孔３内に対面する面積が大きくなり、弁開口面積が増加するようになっている。なお、弁頭７の形状は、上記したところには限定されるものではなく、特に、弁体５の移動についてのガイドとしての機能を果さずともよい。
【００２６】
そして、上記した弁孔３内には、弁体５の他にばね座１０が収容されており、当該ばね座１０は、円柱状のばね嵌合部１１と、ばね嵌合部１１の図１中上端に設けたフランジ状のばね受部１２と、ばね嵌合部１１の上端から下端へ通じる通孔１３とを備えて構成されている。
【００２７】
このばね座１０は、弁孔３の螺子部３ｂに螺着される環状のナット１５によって、弁孔３外への抜けが防止されており、環状弁座４から遠ざかる方向への移動が規制されている。
【００２８】
また、ばね座１０と弁体５との間には、コイルばね１４が圧縮状態で介装されており、ばね座１０の上述のナット１５によって環状弁座４から遠ざかる方向への移動が規制されているので、圧縮されたコイルばね１４の附勢力が弁体５に環状弁座４へ向けて作用している。よって、この調圧リリーフ弁１は、ハウジング２外から弁体５の弁頭７に作用する圧力によって弁体５を図１中上方へ押し上げる力が、コイルばね１４の弁体５を図１中下方へ押し下げる附勢力に打ち勝つまでは閉弁状態を保ち、上記力がコイルばね１４の附勢力に打ち勝つと弁体５がコイルばね１４を押し縮めて環状弁体４から後退して開弁するようになっている。すなわち、この調圧リリーフ弁１にあっては、閉弁状態においてコイルばね１４が発している附勢力によって、リリーフ圧（開弁圧）が設定されている。このように、調圧リリーフ弁１が開弁すると、弁体５を押し退けて溝７ａを通過した流体は弁孔３内、ばね座１０の通孔１３およびナット１５の内周を通って、ハウジング２の背面側へと抜けていくことになる。
【００２９】
そして、弁体５は、先端側に作用する圧力が大きくなればなるほど、環状弁座４から離れて弁孔３内側への後退量が増加するが、環状弁座４からの後退量が所定の後退量となると、弁本体６の背面側に弁孔３内に突出される複数のストッパ１６に衝合して、弁体５のそれ以上環状弁座４から遠ざかる方向への移動が規制されるようになっている。すなわち、弁体５は、ストッパ１６によって、環状弁座４からのそれ以上の後退が規制される。
【００３０】
戻って、コイルばね１４は、その一端となる図１中下端の内周に、弁体５のばね嵌合部８が嵌合され、その他端となる図１中上端の内周には、ばね座１０のばね嵌合部１１が嵌合されていて、弁孔３内に遊嵌されるばね座１０が弁孔３内で調芯されるようになっている。この場合、ばね座１０におけるばね受部１２の外周は、弁孔３における螺子部３ｂに対向するので、上述したように、コイルばね１４でばね座１０を調芯するようにしているが、ばね受部１２が弁孔３の螺子部３ｂ以外に対向する場合には、ばね受部１２の外周を弁孔３の内周に当接させて弁孔３にばね座１０を調芯させるようにしてもよい。
【００３１】
なお、ストッパ１６は、基本的には、その先端がコイルばね１４の外周に干渉しないように弁孔３内に突出されているが、外径をコイルばね１４の線材間隔より大径に設定しておけば、仮に、ストッパ１６が緩んで弁孔３内側へ侵入していくことがあっても、コイルばね１４の外周でそれ以上の弁孔３内側への進入を阻止することができ、ストッパ１６が弁孔３内に完全に侵入して弁体５の移動を妨げたり、コイルばね１４の線材間に挟まってコイルばね１４の圧縮動作を妨げたりすることを阻止することができる。また、図３に示すように、弁本体６の背面側にストッパ１６の先端に対向して当該ストッパ１６の弁孔３内への侵入を防止するとともに、弁本体６より小径であってばね嵌合部８より大径でコイルばね１４の一端が座する座部６ａを設けておくようにすれば、ストッパ１６の外径をコイルばね１４の線材間隔以上に設定しなくとも、上記したところと同様の効果を得られる。
【００３２】
このように構成された調圧リリーフ弁１は、上述のようにすべての構成部材がハウジング２に一体化されてカートリッジ化され、たとえば、上述したように、ダンパＤのピストン２２に設けた通路２０ａ，２０ｂ等に挿入され固定されることになる。具体的には、通路２０ａ，２０ｂは、ピストン２２に孔を設けて形成され、当該通路２０ａ，２０ｂを形成する孔に上記の如くにカートリッジ化された調圧リリーフ弁１を挿入してから、当該孔に環状のナットを螺着する等して通路２０ａ，２０ｂに調圧リリーフ弁１を固定することになる。そうすると、ハウジング２に螺着されるストッパ１６は、通路２０ａ，２０ｂを形成する孔によってハウジング２の外側への移動が規制されるので、ストッパ１６はハウジング２外へ脱落することはない。
【００３３】
つづいて、調圧リリーフ弁１の動作についてダンパＤの通路２０ａ内に設置された場合を例に説明する。上述のように構成される調圧リリーフ弁１にあっては、ピストン２２に図２中左向きの外力が作用すると、図中の左方の圧力室Ｒ１内の圧力が上昇する。しかし、上記圧力がリリーフ圧に達するまでは、調圧リリーフ弁１は開弁しないので、流体は、コンスタントオリフィス２４のみを介して圧力室Ｒ１から圧力室Ｒ２へ移動する。したがって、調圧リリーフ弁１が開弁するまでのダンパＤのピストン速度に対する減衰力の特性である減衰力特性は、図４中の区間Ａに示すように、オリフィス特有の二乗特性となり、ダンパＤは、ピストン速度に対して比較的高い減衰係数の減衰力を発揮する。
【００３４】
ピストン２２の移動速度が高くなり、図中の左方の圧力室Ｒ１内の圧力が上昇し、当該圧力が調圧リリーフ弁１のリリーフ圧に達すると、上述したように、弁体５は、上記圧力によって押圧されてコイルばね１４を圧縮し、環状弁座４から離れて後退して通路２０ａを開放する。調圧リリーフ弁１が開弁すると、圧縮される左方の圧力室Ｒ１内の流体は、弁孔３内に流れ込んで、通孔１３を介してハウジング２の背面へ抜け、拡大される右方の圧力室Ｒ２へ移動することになる。ダンパＤは、このピストン２２の左方への移動に対して、流体の流れに調圧リリーフ弁１で抵抗を与えて、当該ピストン２２の移動を抑制する減衰力を発生する。その際、コンスタントオリフィス２４における抵抗は、調圧リリーフ弁１に比較して大きく、これを流れる流量は僅であり、ダンパＤの減衰力特性は、調圧リリーフ弁１による特性が支配的となる。
【００３５】
そして、ピストン２２の左方への移動速度が所定の移動速度にまで達せず、弁体５に作用する圧力室Ｒ１内の圧力が、弁体５をストッパ１６に衝合させるまで後退させられない状態では、弁体５は、ピストン速度の上昇による圧力室Ｒ１内の圧力上昇に見合って環状弁座４から遠ざかり弁開口面積を増加させることができるので、ダンパＤは、図４中の区間Ｂに示すように、ピストン速度の上昇に対して比較的小さな傾きで減衰力を上昇させる減衰力特性を発揮する。
【００３６】
なお、この調圧リリーフ弁１にあっては、流体が弁体５と環状弁座４の間を通過する際に、当該流体の流れに抵抗が与えられるだけでなく、流体が通孔１３を通過する際にも、当該流体の流れに抵抗が与えられるようになっている。そのため、弁体５と環状弁座４の間を通過した流体が上記通孔１３を通過することによって、弁孔３内の圧力が上昇して、この圧力を二次圧として弁体５の背面側となる図１中上面側に作用させて弁体５を閉弁方向となる環状弁座４側へ附勢することができるようになっている。このように、通孔１３の開口面積によって、二次圧を任意に設定することができ、通孔１３の開口面積は調圧リリーフ弁１の開弁後におけるダンパＤの減衰力特性を特徴づける調整要素である。
【００３７】
つづいて、ピストン２２の左方への移動速度（ダンパＤの伸縮速度）が所定速度にまで達し、弁体５に作用する圧力室Ｒ１内の圧力が大きくなって弁体５をストッパ１６に衝合させるまで後退させると、その後のピストン速度の上昇によって圧力室Ｒ１内の圧力がいくら上昇しても、弁体５はストッパ１６によって環状弁座４から遠ざかる方向への移動が阻止されるので、それ以上弁開口面積を増加させることができず、ダンパＤは、図４中の区間Ｃに示すように、ピストン速度の上昇に対して比較的大きな傾きで減衰力を上昇させる減衰力特性を発揮する。なお、ダンパＤの通路２０ｂ内に設置される調圧リリーフ弁１の動作は、ピストン２２の移動方向が上記とは反対のときに、上記したところと同様の動作を呈するので、詳しい説明を省略する。
【００３８】
このように調圧リリーフ弁１を搭載したダンパＤは、ピストン速度が所定速度以上となると、減衰係数が大きくなって、より大きな減衰力を発揮して、振動を抑制するので、ダンパＤを免制震用途で使用する場合、弾性支持される建築物Ｗが長周期地震動によって振動励起されて大振幅で振動するような場合に、この振動に対して大きな減衰力を発揮して建築物の振動を効果的に減衰させることができる。
【００３９】
また、調圧リリーフ弁１を搭載したダンパＤは、ピストン速度が所定速度以下では、従来の免制震用のダンパと同様に、ピストン速度に対して比較的小さい減衰係数で減衰力を発揮するので、長周期地震動による振動励起がない場合には、減衰力過多とならず、弾性体Ｓで地盤Ｇ側からの地震による振動の建築物Ｗへの伝達の絶縁を妨げることなく、効果的に振動を減衰することができる。
【００４０】
したがって、この調圧リリーフ弁１は、ダンパＤに建築物Ｗの振動を抑制するのに最適な減衰力を発揮させることが可能であり、建築物Ｗの免制震用途のダンパＤに最適となる。
【００４１】
なお、上記ストッパ１６が上記弁体５に衝合して弁体５の環状弁座４からの後退を規制する際のダンパＤの所定速度は、任意に設定することができるが、具体的にはたとえば、長周期地震動によって建築物Ｗが共振する際に達することが見込まれる伸縮速度に設定される。また、当該所定速度に達すると、上記ストッパ１６が上記弁体５に衝合して弁体５の環状弁座４からの後退を規制するようにすればよいので、上記ストッパ１６が上記弁体５に衝合する際の所定の後退量については所定速度に応じて設定すればよい。
【００４２】
以上、本発明の実施の形態について説明を終えるが、本発明の範囲は図示されまたは説明された詳細そのものには限定されない。
【産業上の利用可能性】
【００４３】
本発明は、ダンパの調圧リリーフ弁に利用可能である。
【符号の説明】
【００４４】
１  調圧リリーフ弁
２  ハウジング
３  弁孔
３ａ  弁孔における縮径部
３ｂ  弁孔における螺子部
４  環状弁座
５  弁体
６  弁本体
６ａ  座部
７  弁頭
８  弁体におけるばね嵌合部
９  螺子孔
１０  ばね座
１１  ばね座におけるばね嵌合部
１２  ばね座におけるばね受部
１３  通孔
１４  コイルばね
１５  ナット
１６  ストッパ
２０ａ，２０ｂ  通路
２１  シリンダ
２２  ピストン
２３  ピストンロッド
２４  コンスタントオリフィス
Ｄ  ダンパ
Ｇ  地盤
Ｒ１，Ｒ２  圧力室
Ｓ  弾性体
Ｗ  建築物
【図１】
0005508883.tif 000002
【図２】
0005508883.tif 000003
【図３】
0005508883.tif 000004
【図４】
0005508883.tif 000005
【図５】
0005508883.tif 000006